(57)【特許請求の範囲】
【請求項１】
建物のトイレ又は浴室等に配置される専用換気扇と、前記建物の内部の換気のために配置される換気装置とを備え、前記専用換気扇は継続的に排気を行う常時換気を実行可能に設けられ、前記換気装置は、建物外部の空気を建物内部に取り入れる吸気経路と、前記専用換気扇の換気経路から区別された排気通路とを有すると共に排気用のファンと、吸気用のファンとを有し、前記吸気経路からの吸気と前記排気通路からの排気とを昼夜において継続的に行う常時換気を実行可能に設けられた建物の換気システムであって、
前記換気装置における前記吸気経路からの取り入れる吸気量が、前記排気通路の空気排気量と前記専用換気扇の常時換気時における空気排気量とを加算した量に相当するように、前記吸気用のファンの径を前記排気用のファンの径より大きく設定し、または、前記吸気経路のダクトの径を前記排気通路のダクトの径より大きく設定したことを特徴とする建物の換気システム。
【発明の詳細な説明】
【０００１】
【発明の属する技術分野】
本発明は、建物外部の空気を建物内部に取り入れる一方、建物内部の空気を建物外部に排出して建物の換気を行う建物の換気システム及び換気装置に関する。
【０００２】
【従来の技術】
全熱交換型換気装置としては特開平１０−２８１５２３号公開公報に開示されているものが知られている。
【０００３】
この公報に開示された全熱交換型換気装置は、熱交換率を高くし、構造簡単で天井の狭い一般の家屋にも容易に取り付けることができる全熱交換型換気装置を提案するものであり、建物外部の空気を取り入れて建物の室内に送風する吸気経路と、建物の室内側の空気を建物の外側に排出する排気経路とを備えている。この排気経路と前述の吸気経路との内部には、送風ファンがそれぞれ備えられており、吸気と排出とを同時に行うことにより、高効率の換気が行われるようになっている。また、建物内部の空気と建物外部の空気との温度差があるために、夏であれば室内の温度に近づけるように吸引する外気の熱を奪い、冬であれば建物の外の空気に建物内部の空気の熱を付与するように、吸気経路と排出経路とは熱交換機により互いに空気の通る通路が交差している。
【０００４】
すなわち、この熱交換機は、建物内部の空気と建物外部の空気とのどちらかが持っている高い熱を熱の低い空気に伝達するために、空気を通す細い空気通路を熱伝導率の良い紙等により多数形成し、隣接する空気通路を外気導入系と内気排出系に振り分けて、両者を交互に交差させる構成としたものである。
【０００５】
【発明が解決しようとする課題】
しかしながら、従来の建物の換気システム或いは換気装置の場合、浴室やトイレ等において常時換気を行っている状態で、建物の居室側の室内・室外の換気を行うと、居室側の空気の排出量が増大するので、すきま風のような音が発生したり、浴室やトイレの空気排出系統が吸引する空気の量が減少し、浴室やトイレの換気効率が低下する恐れがある。このために、建物の壁面等に新しい空気導入口を開口する必要が生ずるなどの不具合がある。
【０００６】
本発明は、かかる問題に着目してなされたものであり、浴室・トイレ等の常時換気を行う建物であっても、居室側の換気を充分に行う場合に、新たな空気導入口を作ったり、すきま風のような音を生じさせたり、浴室等の換気効率が低下することを防止した建物の換気システム及び換気装置を提供することを目的とする。
【０００７】
上記課題を解決するために、請求項１の発明は、建物のトイレ又は浴室等に配置される専用換気扇と、前記建物の内部の換気のために配置される換気装置とを備え、前記専用換気扇は継続的に排気を行う常時換気を実行可能に設けられ、前記換気装置は、建物外部の空気を建物内部に取り入れる吸気経路と、前記専用換気扇の換気経路から区別された排気通路とを有すると共に排気用のファンと、吸気用のファンとを有し、前記吸気経路からの吸気と前記排気通路からの排気とを昼夜において継続的に行う常時換気を実行可能に設けられた建物の換気システムであって、
前記換気装置における前記吸気経路からの取り入れる吸気量が、前記排気通路の空気排気量と前記専用換気扇の常時換気時における空気排気量とを加算した量に相当するように、前記吸気用のファンの径を前記排気用のファンの径より大きく設定し、または、前記吸気経路のダクトの径を前記排気通路のダクトの径より大きく設定したことを特徴とする。
【００１１】
【発明の実施の形態】
図２は、本願発明の実施の形態にかかる換気装置１の主要構成を模式的に示したものである。図２において、換気装置１は、建物の室内天井に取り付けられるハウジングケース２を備えている。このハウジングケース２の下部には室内の空気を外に排出するための導入開口部３が形成されており、この導入開口部３には、室内天井とほぼ同じ面に位置するようにフロントパネル４が取り付けられる。フロントパネル４は周縁部に開口部５が形成されており、開口部５から取り入れられた室内の空気（以下、Ｒｅｔｕｒｎ  Ａｉｒ：ＲＡという）は導入開口部３を経由して熱交換器６に導入される。
【００１２】
熱交換器６は、室内の空気の持っている熱を建物外側から取り入れる空気に伝達するものであり、排出する空気ＲＡを通過させる排気通路と、建物外側から取り入れる空気（以下、Ｏｕｔ  Ｓｉｄｅ  Ａｉｒ：ＯＡという）を通過させる吸気通路とを備えている。
【００１３】
排気通路及び吸気通路は、それぞれ細長い紙の管材からなるものであり、排気通路の管材と吸気通路の管材とがそれぞれ交互に隣り合うように配置されることにより、排気される空気ＲＡの熱が吸引される空気ＯＡに伝達されるようになっている。なお、この実施の形態では管材は紙で構成されているが、熱伝導率の高い薄いプラスチック・金属等でも良い。
【００１４】
排気通路は、フロントパネル４の開口部５と、熱交換器６の排気通路と、風路７と、ファン格納室８と、ファン１０と、排気ダクト９で構成されている。
【００１５】
熱交換器６の排気通路は、風路７を介してファン格納室８に通じており、ファン格納室８は排気ダクト９に接続されている。ファン格納室８にはファン１０が配置されている。ファン１０は遠心タイプのものであり、風路７から室内空気をファン１０の中央部に取り込んでファン１０の外側に排出する。図２の１１Ｂはファン１０を回転させるモータである。
【００１６】
室外からの空気ＯＡを吸引する吸気経路は、ダクト１６と、フィルター１７と、熱交換器６の吸気通路と、風路１２と、ファン格納室１３と、ファン１４と、給気ダクト１５とで構成されている。
【００１７】
熱交換器６の吸気通路は、風路１２を介してファン格納室１３に通じている。ファン格納室１３内部には遠心タイプのファン１４が配置されている。ファン格納室１３の側部には、給気ダクト１５が設けられている。ファン１４はファン１４の中央部から室外の空気ＯＡを導入して給気ダクト１５から熱交換した空気（以下、Ｓｕｐｐｌｙ  Ａｉｒ：以下ＳＡという）を居室に供給する。給気ダクト１５は断熱ダクト等を通して建物の各所に設けられた居室等に通じている。また、熱交換器６の吸気通路の入り口には、外気導入ダクト１６が設けられ、外気導入ダクト１６と熱交換器６との間には、煤塵・粉塵・花粉等をろ過するフィルター１７が配置されている。フィルター１７は一例として蛇腹状に折り畳まれた不織布等で構成されている。なお、フィルター１７に抗菌・脱臭・防かび・光触媒等の機能を持たせても良い。
【００１８】
ファン１０とファン１４は、それぞれを独立に回転制御可能なモータ１１Ａ、１１Ｂに取り付けられており、それぞれのモータ１１Ａ，１１Ｂは制御回路１１Ｃの制御により回転駆動されるようになっている。ファン１４の外径はファン１０の外径より大きく形成されており、ファン１４による室外空気の吸引量がファン１０による室内空気の排出量より大きく設定されている。
【００１９】
すなわち、ファン１４による空気ＯＡの吸引量は、ファン１０による空気ＲＡの排出量＋浴室・トイレの空気排出量として、設定される。この浴室・トイレの空気排出量は、浴室・トイレの専用換気扇が昼夜において回転する常時換気を行っているときの空気排出量を指している。
【００２０】
なお、ここで常時換気というのは、一日の２４時間において換気扇等を駆動することによって行われる居室の換気を指し、建物の窓や出入口或いは開口部から空気が自然に出入りする換気を含まない。
【００２１】
ファン１４による空気ＯＡの吸気量を増大する手段としては、ファン１４のファンの面積をファン１０のファンの面積より大きくするもの、或いはダクト９、１６の断面積を異ならせるもの、或いは、ファン１０、１４を回転させるモータ１１Ａ，１１Ｂの制御回路１１Ｃに、個々のモータの回転量を制御するための回転量制御回路を設けることも考えられる。この回転量制御回路を設ける場合には、吸気量又は排気量の少なくともいずれかを増大又は減少するように、電圧制御又は電流制御を行う素子を設けても良い。
【００２２】
個々のモータ１１Ａ，１１Ｂの回転制御を行う場合には、吸気制御と排気制御とを独立に行えるので、トイレ・浴室の局所換気を行う場合に、トイレ・浴室の照明スイッチ或いは換気扇スイッチのＯＮ・ＯＦＦに連動してモータ１１Ａ，１１Ｂの制御を行うように、照明スイッチ又は換気扇スイッチのＯＮに連動してモータ１１Ａに給電する電圧又は電流を増大するリレー回路を設けても良い。
【００２３】
図３は、この換気装置１を用いた建物の換気システムの概略を示す。この図３において建物の換気システムは、マンションなどの区分建物に適用されているが、一戸建ての建物に適用しても良いのは勿論である。
【００２４】
図３において、建物の室内天井には換気装置１が取り付けられ、玄関の上部に吸気ダクト２０と排気ダクト２１とが設けられている。吸気ダクト２０は換気装置１の外気導入ダクト１６に接続されている。排気ダクト２１は換気装置１の排気ダクト９に接続されている。換気装置１の室外空気の給気ダクト１５には供給ダクト２２〜２５が接続され、供給ダクト２２〜２５はそれぞれ居室Ｒ１〜Ｒ４に開放している。
【００２５】
浴室・トイレの換気経路２６は、浴室・トイレ天井に設けられた専用換気扇２７に接続されており、玄関の上部の排気ダクト２８に接続されている。キッチンＫの天井に設けられた専用換気扇２９の排気通路３０はベランダ側の壁面に設けられた排気口に接続されている。
【００２６】
換気装置１の空気ＯＡの単位時間当たりの吸気量は、前述の通り、ファン１０の空気の排気量ＥＡに浴室・トイレの空気の排気量を加算した量に相当するように設定されている。
【００２７】
これによって、常時換気により浴室・トイレの換気経路２６からの排気と換気装置１の排気とを同時に行っても、吸気ダクト２０からの空気ＯＡの吸気量が、排気ダクト２１の空気ＥＡの排気量のみならず、浴室・トイレの排気経路２６からの空気排出量もカバーしているので、建物内外の空気の吸気量と排気量との総和がゼロ若しくはゼロに近い状態にすることができ、建物の内部で室外空気の供給量が減少してすきま風の音が発生したり、新たな空気取り入れ口を形成する必要がなくなる。
【００２８】
【発明の効果】
本願の請求項１の建物換気システムによれば、居室側の換気システムにおいて、浴室やトイレ等及び居室側においてそれぞれ常時換気を行っても、建物における空気の吸引量と空気の排出量との総和がゼロ或いはゼロに近い数値となる。このため、居室側とトイレ・浴室等において常時換気を行っても、浴室・トイレの空気供給量の低下が生じず、すきま風の音などの発生が防止され、新たな空気導入口の形成といった工事も不要である。
【図面の簡単な説明】
【図１】本願の実施の形態にかかる換気装置の構成を示す分解斜視図。
【図２】図１の換気装置の概念図。
【図３】図１の換気装置を用いた建物の換気システムの概略図。
【符号の説明】
１  換気装置
２  ハウジングケース
４  フロントパネル
５  開口部
６  熱交換器
７  ダクト
８  ファン格納室
９  排気ダクト
１０  ファン
１１  モータ
１２  ダクト
１３  ファン格納室
１４  ファン
１５  給気ダクト
１６  ダクト
【図１】
0004678092.tif 000002
【図２】
0004678092.tif 000003
【図３】
0004678092.tif 000004